(57)【要約】  真空搬送システムにおける方法であって、該真空搬送システムは、少なくとも１つの供給点（６１、６６）と、一方の端で供給点（６１、６６）に接続しており、他方の端で搬送材料が搬送空気から分離される分離器要素（２０）に接続している材料搬送配管（１００、１０１、１０２）と、少なくとも材料の搬送時に搬送配管（１００、１０１、１０２）内に差圧を提供する手段（３、３’）とを備える、方法。本方法において、搬送配管（１００、１０１、１０２）内に、増強された真空効果（真空パルス）がエジェクタ装置（４）によって提供され、エジェクタ装置（４）の作動媒体が蓄圧器に充填され、該蓄圧器から、前記搬送配管内に強い吸引を提供するように前記作動媒体がエジェクタノズルに搬送される。本発明は装置にも関する。【選択図】図１
2011502087.tif 000002
【特許請求の範囲】
【請求項１】
真空搬送システムにおける方法であって、該真空搬送システムは、少なくとも１つの供給点（６１、６６）と、一方の端で該供給点（６１、６６）に接続しており、他方の端で搬送材料が搬送空気から分離される分離器要素（２０）に接続している材料搬送配管（１００、１０１、１０２）と、少なくとも材料の搬送時に該搬送配管（１００、１０１、１０２）内に差圧を提供する手段（３、３’）とを備え、該方法において、前記搬送配管（１００、１０１、１０２）内に、増強された真空効果（真空パルス）がエジェクタ装置（４）によって提供され、該エジェクタ装置の作動媒体が蓄圧器（１６）に充填され、該蓄圧器（１６）から、前記搬送配管内に強い吸引を提供するように前記作動媒体がエジェクタノズルに搬送されることを特徴とする、方法。
【請求項２】
少なくとも１つの真空ポンプユニット（３、３’）を用いて基本的な負圧を前記搬送配管（１００、１０１、１０２）内に提供することを特徴とする、請求項１に記載の方法。
【請求項３】
負圧が少なくとも主搬送配管（１００）内で維持されることによって、少なくとも１つの供給点又はその同等物を空にする場合、まず前記供給点と前記主搬送配管（１００）との接続部を開き、おそらく開いている、前記供給点の分岐配管（１０１、１０２）のライン弁（６２、６７）を閉じ、増強された真空効果が前記エジェクタ装置によって前記搬送配管内に提供され、前記供給点から前記搬送配管への接続部を閉じ、対象となる前記分岐配管の前記ライン弁（６２、６７）を開いて補給空気の前記搬送配管内へのアクセスを可能にすることを特徴とする、請求項１又は２に記載の方法。
【請求項４】
前記エジェクタ装置の前記作動媒体として加圧空気等の気体が用いられることを特徴とする、請求項１乃至３のいずれか１項に記載の方法。
【請求項５】
前記エジェクタ装置（４）の前記作動媒体として液体が用いられることを特徴とする、請求項１乃至４のいずれか１項に記載の方法。
【請求項６】
前記エジェクタ装置の前記作動媒体は、圧縮機等のポンプ手段（１２）によって前記蓄圧器（１６）に充填されることを特徴とする、請求項１乃至５のいずれか１項に記載の方法。
【請求項７】
前記エジェクタ装置（４）の前記作動媒体は、約１０バール乃至４０バール等の高圧になるまで前記蓄圧器（１６）に充填される気体であることを特徴とする、請求項１乃至６のいずれか１項に記載の方法。
【請求項８】
前記エジェクタ装置（４）の前記作動媒体は、約４０バール乃至３００バール等の高圧になるまで前記蓄圧器（１６）に充填される液体であることを特徴とする、請求項１乃至６のいずれか１項に記載の方法。
【請求項９】
少なくとも１つのエジェクタユニット（３’’）が、基本的な負圧を前記搬送配管（１００、１０１、１０２）内に提供するための前記真空ポンプユニットとして用いられることを特徴とする、請求項１乃至８のいずれか１項に記載の方法。
【請求項１０】
少なくとも１つの真空ポンプ（３、３'、３’’）によってすでに提供されている前記負圧は、エジェクタユニット（４）によって前記搬送配管（１００、１０１、１０２）内で瞬間的に増強されることを特徴とする、請求項１乃至９のいずれか１項に記載の方法。
【請求項１１】
真空搬送システムにおける装置であって、該真空搬送システムは、少なくとも１つの材料供給点（６１、６６）と、一方の端で該供給点（６１、６６）に接続しており、他方の端で搬送材料が搬送空気から分離される分離器要素（２０）に接続している材料搬送配管（１００、１０１、１０２）と、少なくとも材料の搬送時に該搬送配管（１００、１０１、１０２）内に差圧を提供する手段（３、３’）とを備え、該装置は、増強された真空効果（真空パルス）を前記搬送配管（１００）内に提供するエジェクタ装置と、該エジェクタ装置の作動媒体の蓄圧器（１６）とを備え、該蓄圧器から、前記搬送配管内（１００）で強い吸引を提供するように前記作動媒体がエジェクタノズルに搬送されることを特徴とする、装置。
【請求項１２】
前記エジェクタ装置（４）の吸引側は、前記分離器要素（２０）に接続しており、前記分離器要素（２０）から前記搬送配管（１００）への接続部があることを特徴とする、請求項１１に記載の装置。
【請求項１３】
前記蓄圧器（１６）を充填するポンプ手段（１２）を備えることを特徴とする、請求項１１又は１２に記載の装置。
【請求項１４】
前記蓄圧器（１６）は空気圧式蓄圧器であることを特徴とする、請求項１１乃至１３のいずれか１項に記載の装置。
【請求項１５】
前記蓄圧器（１６）が液圧式蓄圧器であることによって、前記エジェクタ装置（４）の前記作動媒体は液体を含むことを特徴とする、請求項１１乃至１３のいずれか１項に記載の装置。
【請求項１６】
少なくとも１つの真空ポンプ（３、３'、３’’）が、前記搬送配管（１００、１０１、１０２）内で基本的な負圧を生成するのに用いられることを特徴とする、請求項１１乃至１５のいずれか１項に記載の装置。
【請求項１７】
廃棄物搬送システム内と関連するように取り付けられることを特徴とする、請求項１１乃至１６のいずれか１項に記載の装置。
【請求項１８】
前記材料供給点（６１、６６）は、廃棄物入れ又は廃棄物シュート等の廃棄物の供給点であることを特徴とする、請求項１１乃至１７のいずれか１項に記載の装置。
【発明の詳細な説明】
【技術分野】
【０００１】
本発明は、請求項１のプリアンブルに記載の真空搬送システムにおける方法に関しており、該真空搬送システムは、少なくとも１つの供給点と、一方の端で該供給点に接続しており、他方の端で搬送材料が搬送空気から分離される分離器要素に接続している材料搬送配管と、少なくとも材料の搬送時に搬送配管内に差圧を提供する手段とを備える。
【０００２】
本発明はまた、請求項１１に記載の装置に関する。
【０００３】
本発明は、包括的には真空搬送システムに関し、詳細には、家庭廃棄物の搬送等の、廃棄物の回収及び搬送に関する。
【背景技術】
【０００４】
吸引によって廃棄物を配管内で搬送するシステムが知られている。これらのシステムでは、廃棄物は吸引によって配管内で長距離搬送される。特に、異なる施設に廃棄物を搬送する装置が利用される。このような装置では典型的には、差圧を得るために真空装置が用いられ、真空装置において、搬送配管内の負圧が真空ポンプ又はエジェクタ装置等の真空発生器によって提供される。搬送配管内には、典型的には少なくとも１つの弁要素があり、弁要素の開閉によって搬送配管内に入る補給空気が調節される。
【０００５】
吸引では１バール未満（実際には０．１バール乃至０．５バール）の差圧しか利用可能ではない。継続的な負圧が廃棄物の搬送配管内で維持されるシステムが知られている。小さな差圧では、配管内で搬送される材料を移動させるには配管内の流速を速く設計することが必要である。配管内を通る廃棄材料はその堅さ、サイズ及び形状が不規則であるため、配管内にバイパス流が容易に形成されることによって、吸引を生じさせる真空発生器／吸引装置は、その容量及び電力が極めて大規模でなければならない。
【０００６】
配管まで延びる真空ポンプを利用することには問題がある。材料を搬送配管へ搬送するために出口弁をいずれかの場所で開くと、強力な音が通常生じてしまう。これは、特に住宅地で非常に大きな問題となる。この問題に対する解決策は、通常、出口弁又は配管の端の掃き出し弁(flushing valve)を開くまで真空ポンプを作動しないことである。したがって、搬送材料を迅速に移動させることを可能にするために、ポンプは、数キロメートルの長さの場合さえある配管に十分な速さで負圧を加えることができるように負圧を迅速に生成するために大きくなくてはならない。これは、エネルギー消費量及び性能が非常に高い真空ポンプを必要とする。これはさらに、エネルギーコスト及び保守コストを高額にする。この問題に対する解決策として、真空蓄積器が特許文献１において示唆されている。１バール未満のわずかな負圧しか供給することができないということのように、真空蓄積器の容量は配管のサイズとほぼ同じとするため、この真空蓄積器は大きなシステムには特に不適当である。さらに、大きな廃棄物真空搬送システムに関する問題は、数キロメートルの長さである搬送配管の容量が相当なものになるということである。
【先行技術文献】
【特許文献】
【０００７】
【特許文献１】欧州特許第０９０６８７７号明細書
【発明の概要】
【０００８】
本発明の目的は、既知の構成の欠点が回避される、材料の搬送システム内と関連する完全に新規の種類の構成を得ることである。本発明の別の目的は、搬送材料を移動させるのに必要な真空パルスを提供する、真空搬送システムに適した構成を提供することである。
【０００９】
本発明は、吸引エジェクタを用いて瞬間的に必要な真空パルスを提供する、より高い圧力で供給される圧力媒体を利用するという着想に基づいている。
【００１０】
本発明による方法は、増強された真空効果（真空パルス）がエジェクタ装置によって搬送配管内に提供され、エジェクタ装置の作動媒体が蓄圧器に充填され、蓄圧器から、搬送配管内に強い吸引を提供するように作動媒体がエジェクタノズルへ搬送されることによって主に特徴付けられる。
【００１１】
さらに、本発明による方法は、請求項２乃至１０に記載されているものによって特徴付けられる。
【００１２】
本発明による装置は、エジェクタ装置であって、増強された真空効果（真空パルス）を搬送配管内に提供し、蓄圧器の該エジェクタ装置の媒体を作動させ、蓄圧器から、搬送配管内に強い吸引を提供するように圧力媒体がエジェクタノズルへ搬送される、エジェクタ装置を備えることによって特徴付けられる。
【００１３】
本発明による装置は、請求項１２乃至１８に記載されているものによってさらに特徴付けられる。
【００１４】
本発明による構成は多数の重要な利点を有する。エジェクタをトリガすると、ポンプの出力に関して多種多様であり得る大幅な吸引の増大が瞬間的に得られる。この方法によって、配管内での材料の迅速な搬送の開始がもたらされる。この後、真空ポンプは搬送速度を維持する。空気圧エジェクタが負圧を上げると、搬送の完了を担当するさらなるポンプが作動される。本発明による構成はまた、従来技術が引き起こす音の問題を大幅に低減する。
【００１５】
以下で、本発明が添付の図面を参照して一例によって詳細に説明される。
【図面の簡単な説明】
【００１６】
【図１】本発明による一実施形態によるシステムを概略的に示す。
【図２】本発明による別の実施形態によるシステムを概略的に示す。
【図３】既知の構成の搬送配管内の負圧の変動曲線を示す。
【図４】搬送配管内の負圧の変動曲線を示す。
【発明を実施するための形態】
【００１７】
図１は、本発明による方法及び装置を利用する、材料の搬送システム、詳細には廃棄材料の搬送システムを概略的に示す。
【００１８】
図１及び図２において、参照符号６１、６６は搬送される廃棄材料の供給ステーションを示し、供給ステーションから材料、特に搬送される家庭廃棄物等の廃棄材料が搬送システムへ供給される。システムは、いくつかの供給ステーション６１、６６を備えることができ、ここから搬送される材料が搬送配管１００、１０１、１０２、１０３、１０４へ供給される。典型的には、搬送配管は主搬送配管１００を備えており、いくつかの分岐搬送配管１０１、１０２が主搬送配管１００に接続することができ、いくつかの供給ステーション６１、６６が、供給配管１０３、１０４を介して分岐搬送配管１０１、１０２のそれぞれに関して接続することができる。図１による実施形態では、２つの分岐搬送配管１０１、１０２が主搬送配管１００に接続している。図面では、それぞれ３つの供給ステーション６１及び６６が両方の分岐搬送配管１０１、１０２に接続している。供給された材料は、搬送配管１００、１０１、１０２、１０３、１０４に沿って搬送配管の反対端にある分離装置２０へ搬送され、分離装置では搬送材料は、たとえば、遠心力によって搬送空気から分離される。分離された材料は、たとえば必要に応じて、分離装置２０から廃棄物容器５１等の材料容器へ又はさらなる処理のために除去される。材料容器は、図面の実施形態におけるように、廃棄物圧縮機５０を備える場合があり、ここから材料は廃棄物容器５１へさらに搬送される。図１の実施形態では、分離装置２０には材料出口要素が設けられている。分離装置２０からは、配管１０５が、搬送配管内に負圧を生成する手段３、４へつながっている。図１の実施形態では、負圧を生成する手段は、真空ポンプユニット３及びエジェクタユニット４を含む。負圧を生成する手段によって、材料を搬送するのに必要な負圧が搬送配管１００、１０１、１０２、１０３、１０４内に提供される。真空ポンプユニット３は、アクチュエータ３１によって作動されるポンプ３０を備える。本発明によれば、システムは、図面の実施形態では配管１０６、１０５及び分離器要素２０を介して搬送配管に接続しているエジェクタユニット４をさらに備える。
【００１９】
エジェクタユニット４はエジェクタノズル４５を備えており、エジェクタノズル４５から作動媒体がエジェクタ４２に向けてエジェクタパイプ４６内へ吹き付けられることによって、配管１０６内に吸引が提供される。エジェクタユニット４は、典型的には少なくとも１つの圧縮機１２及び空気圧式蓄圧器１６を備える、空気圧源１等の作動媒体源に接続している。負圧は、搬送配管内での材料を搬送するのに必要な力を提供する。エジェクタユニット４は分離装置２０に接続しており、分離装置２０には同様に主搬送配管１００も接続している。
【００２０】
供給配管１０３、１０４には出口弁６０、６５が配置され、これは適当なサイズの材料部分が供給点６１、６６から搬送配管１０１、１０２へ搬送されるように開閉する。材料は、廃棄物容器等の供給点６１、６６から供給される。容器が一杯になった後で出口弁６０、６５が自動又は手動で開かれる。搬送配管１００、１０１、１０２のそれぞれには、最適には分離装置２０に対して搬送配管の反対端に、必要なときに開閉するライン弁６２、６７、７０が取り付けられる。
【００２１】
システムは、以下のように動作する：開始状況では、圧縮機１２は、圧力媒体蓄圧器、すなわち図１の実施形態では空気圧式蓄圧器１６に負荷をかけて、圧力センサ１７によって規定される過圧で充填する。負荷圧の上限はシステムによって決まる。この上限は、たとえば１０バール乃至３００バール、一実施形態では１０バール乃至４０バール、別の実施形態では４０バール乃至３００バールとすることができる。分離装置２０の出口ハッチが閉じており、主搬送配管１００と分離要素との間の弁２６が開いている。真空ポンプユニット３は、主搬送配管１００内で負圧を維持する。一実施形態では、搬送配管内の負圧は、たとえば約−０．２バールである。真空ユニット３の真空ポンプ３０のモータ３１は、圧力センサ３２のデータに基づいて周波数変換制御装置によって制御される。図１のシステムでは、開始状況では動作しない第２のポンプユニット３’もある。エジェクタユニット４は、開始状況では動作しない。供給点、すなわち廃棄物容器の付近の出口弁６０、６５はすべて閉じている。分岐搬送配管１０１、１０２のライン弁６２、６７は開いている。分岐搬送配管１０１と主搬送配管１００との間にはエリア弁６４があり、同様に、第２の分岐搬送配管１０２と主搬送配管１００との間には、第２のエリア弁６９がある。開始状況では、エリア弁６４及び６９は閉じており、主搬送配管１００のライン弁７０も閉じている。
【００２２】
第１の分岐搬送配管１０１のエリアに属する供給点６１の廃棄物容器を空にすると仮定する。排出信号に基づいて、出口弁６０及び分岐配管１０１のエリア弁６４が開いて、分岐配管１０１のライン弁６２が閉じる。負圧が搬送配管１００内で減少すると、真空ポンプは出力を増大するよう試みて最大回転になり、可能な第２の真空ポンプユニット３’が始動する。エジェクタユニットの弁４１が開くことによって、圧力媒体が蓄圧器１６からエジェクタへ到達する。これによって、配管内における不快な音（轟音）を伴わずにスムーズでありながらも迅速な負圧の増大を得る。これにより、供給点６１の廃棄物容器から排出された材料の搬送を開始することが、配管１０１、１００内で確実に行われる。典型的には開始状況の数秒後に、出口弁６０は閉じて、ライン弁６２が開く。新たな廃棄物をまた同様に、供給点の空の廃棄物容器に入れることができる。出口弁６０、６５は、一群として又は互いに対してわずかに遅れのある一群として開くこともできる。
【００２３】
搬送配管の負圧が、たとえば−０．２バール値まで減少すると、エジェクタユニットの弁４１が閉じて、蓄圧器１６は圧縮空気等の圧力媒体で再び充填される。真空ポンプ３、３'は、搬送配管内で所望の負圧を維持する。所定の時間が経過した後で、弁６４は閉じて搬送配管１００のライン弁７０が開くことによって、搬送材料は、廃棄物ステーションの分離器要素２０まで搬送配管１００内で搬送され続ける。
【００２４】
分離装置２０が一杯になると、搬送配管１００の弁２６が閉じて制御弁２３が開き、それによって分離装置の出口ハッチ２７のアクチュエータ２４が出口ハッチ２７を開き、分離装置に蓄積された材料が圧縮機デバイス５０に排出されて廃棄物容器５１へさらに排出される。分離装置２０の出口ハッチ２７が閉じて弁２６が開く。
【００２５】
この後、開始状況に戻り、排出プロセスが繰り返され得るか、又は他のいくつかの供給点の排出が実施され得る。
【００２６】
廃棄物容器５１は、一杯になると取り替えられるか又は空にされる。
【００２７】
図３は、従来技術の排出プロセスの場合の、排出プロセス中の搬送配管内の負圧の変化を示す。負圧は最初、図面による構成において−０．２バールである設定値にある。負圧は減少していき、所定の負圧値が得られるまでに長い時間がかかる。これは、搬送される材料を搬送配管内で良好に搬送するのを開始できないことにつながり得る。ポンプのサイズを大きくすることが１つの解決策であるが、これはエネルギー消費量を増大させる。また、大きなポンプはそれ自身の慣性モーメントを有していることにより、搬送の開始が大幅に遅れる。
【００２８】
図４は、本発明によるシステムの、排出プロセス中の搬送配管内の負圧の変化を示す。点ｔ０において、弁６２は閉じ、弁６０、６４及び４１は開く。点ｔ１において、弁６２は閉じ、弁６４は開く。負圧はその最低値まで減少している。図面の実施形態において負圧が、急速であるがスムーズに約−０．４バールの値まで増大する場合に真空衝撃（vacuum shock）が提供される。弁４１は点ｔ２において閉じる。１つ又は複数の真空ポンプは負圧を約−０．２バールの設定値に維持する。図面に示される圧力値は、一例を表しており、１つの事例における真空パルス中の圧力の変動を描写している。圧力値、圧力変動の程度、及び真空パルスの持続時間は、実施形態に従って変動し得る。
【００２９】
エジェクタ装置４、及び作動媒体として動作する蓄圧器に蓄積される圧力媒体によって、図４による真空衝撃が提供され、それによって、搬送される材料を移動させやすくし、その後、少なくとも１つの真空ポンプ３によって、搬送配管内での材料の移動を維持することができる。
【００３０】
本発明によれば、本方法は、搬送配管１００内の差圧によって、材料、有利には廃棄材料を搬送することに関する。本方法によれば、材料は搬送配管１００へ、さらに搬送配管内で分離装置２０へ搬送され、そこで搬送材料が搬送空気から分離される。搬送配管１００には、少なくとも１つの真空ポンプによって負圧が与えられ、この真空ポンプは、それ自体が既知であるように、吸引側が分離装置２０に接続している。本発明による方法では、搬送配管１００、１０１、１０２において、エジェクタ装置によって増強して生成された負圧（真空パルス）が提供され、エジェクタ装置の吸引側が、搬送配管に、直接又は分離装置に接続している管路によって接続されている。
【００３１】
図２は、本発明による装置の別の実施形態を示しており、搬送配管内で基本的な負圧を生成するために、図１の真空ポンプ３、３'の代わりにエジェクタポンプ３’’が用いられる。エジェクタポンプの吸引側は配管１０５を介して分離器要素２０に結合されており、これによって搬送配管１００内に吸引が提供される。作動媒体として、エジェクタポンプ３’’は、ポンプ装置３００によって容器３６０からエジェクタノズル３４０へ圧送される水を用いる。これによって、配管１０５に接続しているエジェクタポンプの吸引側で吸引が提供される。エジェクタノズルによって吹き付けられる水、典型的には水霧が、容器３６０に戻り、そこから搬送されてポンプによって再び吹き付けられる。また、図２の実施形態は、別のエジェクタ装置を利用して搬送配管１００内で増強された真空効果（真空衝撃）を提供する。
【００３２】
図１及び図２の実施形態では、いわゆるサイクロン式廃棄物分離装置（a waste cyclone）である分離器要素２０、真空ポンプ装置３、３'、３’’、エジェクタユニット４及び圧縮機ユニット１が、材料搬送システムの材料の送出端、すなわち詳細には廃棄物ステーション内に接続する廃棄物搬送システムに配置されている。複数の供給点がシステムの配管に沿って分散して配置され得る。廃棄物搬送システムと関連して、これらの供給点は、たとえば廃棄物入れ（waste bins）又は廃棄物シュートであり得る。
【００３３】
したがって本発明は、真空搬送システムにおける方法に関しており、該真空搬送システムは、少なくとも１つの供給点６１、６６と、一方の端で供給点６１、６６に接続しており、他方の端で搬送材料が搬送空気から分離される分離器要素２０に接続している材料搬送配管１００、１０１、１０２と、少なくとも材料の搬送時に搬送配管１００、１０１、１０２内に差圧を提供する手段３、３’とを備える。本方法において、搬送配管１００、１０１、１０２内に、増強された真空効果（真空衝撃）がエジェクタ装置４によって提供され、該エジェクタ装置の作動媒体が蓄圧器に充填され、該蓄圧器から、搬送配管内に強い吸引を提供するように作動媒体がエジェクタノズルへ搬送される。
【００３４】
本方法の一実施形態によれば、少なくとも１つの真空ポンプユニット３、３'、３’’を用いて搬送配管１００、１０１、１０２内に基本的な負圧を提供する。
【００３５】
典型的な一実施形態によれば、本方法において、負圧が少なくとも主搬送配管１００内で維持されることによって、少なくとも１つの供給点又はその同等物を空にする場合、まず供給点と主搬送配管１００との接続部が開き、おそらく開いている、供給点の分岐配管１０１、１０２のライン弁６２、６７を閉じ、増強された真空効果がエジェクタ装置によって搬送配管内に提供され、供給点から搬送配管への接続部が閉じ、対象となる分岐配管のライン弁６２、６７を開いて補給空気の搬送配管内へのアクセスを可能にする。
【００３６】
典型的な一実施形態によれば、エジェクタ装置４の作動媒体として、圧縮空気等の気体が用いられる。
【００３７】
別の実施形態によれば、エジェクタ装置４の作動媒体として、液体が用いられる。
【００３８】
エジェクタ装置４の作動媒体は、圧縮機等のポンプ手段１２によって蓄圧器１６に充填される。
【００３９】
エジェクタ装置４の作動媒体は、たとえば約１０バール乃至４０バール等の高圧で蓄圧器に充填される。圧力はこれより高くてもよい（たとえば４０バール乃至３００バール）。
【００４０】
別の実施形態（図２）によれば、少なくとも１つのエジェクタユニット３’’を真空ポンプユニットとして用いて、基本的な負圧を搬送配管１００、１０１、１０２内に提供する。
【００４１】
本方法では、少なくとも１つの真空ポンプ３、３'、３’’によってすでに提供されている負圧は、エジェクタ装置４によって搬送配管１００内で瞬間的に増強される。
【００４２】
本発明はまた、真空搬送システムにおける装置に関しており、該真空搬送システムは、少なくとも１つの供給点６１、６６と、一方の端で供給点６１、６６に接続しており、他方の端で搬送材料が搬送空気から分離される分離器要素２０に接続している材料搬送配管１００、１０１、１０２と、少なくとも材料の搬送時に搬送配管１００、１０１、１０２内に差圧を提供する手段３、３’、３’’とを備える。本装置は、エジェクタ装置４であって、増強された真空効果（真空パルス）を搬送配管１００内に提供すると共に、蓄圧器１６の該エジェクタ装置の媒体を作動させるエジェクタ装置４を備え、蓄圧器から、搬送配管内１００で強い吸引を提供するように圧力媒体がエジェクタノズルへ搬送される。
【００４３】
エジェクタ装置４の吸引側は分離器要素２０に接続しており、分離器要素２０から搬送配管１００への接続部がある。本装置は、蓄圧器１６を充填するポンプ手段１２を備える。
【００４４】
一実施形態によれば、蓄圧器１６は空気圧式蓄圧器である。別の実施形態によれば、蓄圧器１６が液圧式蓄圧器であることによって、エジェクタ装置４の作動媒体は液体を含む。
【００４５】
搬送配管１００、１０１、１０２内で基本的な負圧を生成するために、少なくとも１つの真空ポンプ３、３'、３’’が用いられる。
【００４６】
有利な一実施形態によれば、本装置は廃棄物搬送システム内と関連するように取り付けられる。ここで材料供給点６１、６６は、有利には、廃棄物入れ又は廃棄物シュート等の廃棄物の供給点である。
【００４７】
時間的に、真空衝撃の長さは、たとえば数秒から数十秒まで様々である。その値は、特に、システムのサイズ並びに搬送材料の種類及び質によって決まる。
【００４８】
本発明が上述の実施形態に限定されるのではなく、添付の特許請求の範囲内で変更できることは当業者には明らかである。必要であれば、本明細書に記載された可能性のある特徴と共に他の特徴は、互いに別個に使用することもできる。
【図１】
2011502087.tif 000003
【図２】
2011502087.tif 000004
【図３】
2011502087.tif 000005
【図４】
2011502087.tif 000006
【国際調査報告】
2011502087.tif 000007
2011502087.tif 000008
2011502087.tif 000009
2011502087.tif 000010